(57)【要約】【課題】設備コストや運転コストを節減できる複合型空調システムを得る。【解決手段】  建物排水の熱エネルギーを利用して空調を行う第１空調システム（Ｓ）と、非建物排水の熱エネルギーを利用して空調を行う第２空調システム（Ｎ）と、を備える。第１空調システム（Ｓ）が、複数の水熱源ヒートポンプ式空調機（１）と、水熱源ヒートポンプ式空調機（１）のヒーポン用水熱交換器（２）を流通する第１熱源水が循環する第１熱源水回路（３)と、を備える。第１熱源水回路（３）に、建物で発生する汚水にて第１熱源水を水温調節する第１熱源用熱交換器（５）と、建物で発生する下水にて第１熱源水を水温調節する第２熱源用熱交換器（６）と、を設ける。ヒーポン用水熱交換器（２）の第１熱源水入口温度と汚水の温度と下水の温度とに応じて水熱源ヒートポンプ式空調機（１）の運転可能水温範囲に第１熱源水を調節する第１制御手段（７）を、設ける。【選択図】図１
2009168256.tif 000002
【特許請求の範囲】
【請求項１】
建物排水の熱エネルギーを利用して空調を行う第１空調システム（Ｓ）と、非建物排水の熱エネルギーを利用して空調を行う第２空調システム（Ｎ）と、を備え、前記第１空調システム（Ｓ）が、前記建物の被空調空間を空調する複数の水熱源ヒートポンプ式空調機（１）と、前記水熱源ヒートポンプ式空調機（１）のヒーポン用水熱交換器（２）を流通する第１熱源水が循環する第１熱源水回路（３)と、を備え、前記第１熱源水回路（３）に、前記建物で発生する汚水にて前記第１熱源水を水温調節する第１熱源用熱交換器（５）と、前記建物で発生する下水にて前記第１熱源水を水温調節する第２熱源用熱交換器（６）と、を設け、前記ヒーポン用水熱交換器（２）の第１熱源水入口温度と前記汚水の温度と前記下水の温度とに応じて前記水熱源ヒートポンプ式空調機（１）の運転可能水温範囲に前記第１熱源水を調節する第１制御手段（７）を、設けたことを特徴とする複合型空調システム。
【請求項２】
第２空調システム（Ｎ）が、熱源装置（２５）にて水温調節された第２熱源水が循環する第２熱源水回路（３３）を備え、この第２熱源水を前記第２熱源水回路（３３）と第１熱源水回路（３）の一方又は両方に切換自在に循環させる熱源切換機構（３４）を、設けた請求項１記載の複合型空調システム。
【発明の詳細な説明】
【技術分野】
【０００１】
本発明は複合型空調システムに関するものである。
【背景技術】
【０００２】
建物の被空調空間を複数の水熱源ヒートポンプ式空調機で空調するシステムでは、水熱源ヒートポンプ式空調機のヒーポン用水熱交換器を流通する熱源水が循環する熱源水回路と、水熱源ヒートポンプ式空調機の運転可能水温範囲に前記熱源水を調節するボイラー及びクーリングタワーなどの熱源装置と、を備えていた。
【０００３】
【特許文献１】特開２００１−３０４６１８号公報
【発明の開示】
【発明が解決しようとする課題】
【０００４】
このような熱源装置を運転するには石油やガス、電気などのエネルギーが必要で、運転コストが高く、ＣＯ２増加やヒートアイランドの原因となる。
【課題を解決するための手段】
【０００５】
本発明は上記課題を解決するため、建物排水の熱エネルギーを利用して空調を行う第１空調システムと、非建物排水の熱エネルギーを利用して空調を行う第２空調システムと、を備え、前記第１空調システムが、前記建物の被空調空間を空調する複数の水熱源ヒートポンプ式空調機と、前記水熱源ヒートポンプ式空調機のヒーポン用水熱交換器を流通する第１熱源水が循環する第１熱源水回路と、を備え、前記第１熱源水回路に、前記建物で発生する汚水にて前記第１熱源水を水温調節する第１熱源用熱交換器と、前記建物で発生する下水にて前記第１熱源水を水温調節する第２熱源用熱交換器と、を設け、前記ヒーポン用水熱交換器の第１熱源水入口温度と前記汚水の温度と前記下水の温度とに応じて前記水熱源ヒートポンプ式空調機の運転可能水温範囲に前記第１熱源水を調節する第１制御手段を、設けたことを最も主要な特徴とする。
【発明の効果】
【０００６】
請求項１の発明によれば
（１）既設の下水槽や汚水配管を利用して低コストで第１空調システムを構築でき、無駄に捨てられていた下水及び汚水の熱エネルギーを再利用して低コストで空調システムを運転できるので、省エネとヒートアイランド防止を図れる。
（２）一般的な冷温水方式や空冷ヒートポンプ方式など各種の空調システムを第２空調システムとして、第１空調システムと併用できる。本発明の空調システムにて、空調能力不足の従来空調システムをリニューアルすることで、新たに熱源装置などを追加することなく低コストで能力アップを図れる。
（３）ヒーポン用水熱交換器の第１熱源水入口温度と下水温度と汚水温度の程度に応じて、下水及び汚水の保有熱エネルギーを最大限変換利用し、第１熱源水を運転可能水温範囲に確実に調節できて、水熱源ヒートポンプ式空調機の運転が安定し、快適な空調を行える。
（４）複数の水熱源ヒートポンプ式空調機で冷房運転と暖房運転を同時にするとき第１熱源水中の相互熱移動による相殺で第１熱源水の温度調節が不要となる場合など空調負荷の程度に応じて第１熱源用熱交換器及び第２熱源用熱交換器の一方又は両方に対し第１熱源水をバイパスさせて第１熱源水を循環させることができるので第１熱源水の搬送距離が短縮されて搬送動力の節減を図れ、省エネとなる。
請求項２の発明によれば
（１）熱源装置を第１空調システムの予備熱源として利用でき、水熱源ヒートポンプ式空調機の運転が安定し、快適な空調を行える。
（２）空調に必要な全熱エネルギーを熱源装置でまかなう場合と比べて建物排水熱エネルギー利用の分、ボイラー及びクーリングタワーなどの熱源装置を小型化でき、熱源装置運転用の石油やガス、電気の使用削減による省エネとヒートアイランド防止を図れる。
【実施例】
【０００７】
図１は、本発明の複合型空調システムの一実施例を示しており、この複合型空調システムは、建物排水の熱エネルギーを利用して空調を行う第１空調システムＳと、非建物排水の熱エネルギーを利用して空調を行う第２空調システムＮと、を備えている。第１空調システムＳは、冷房運転・暖房運転切換自在として図示省略の建物の被空調空間を空調する複数の水熱源ヒートポンプ式空調機１…と、水熱源ヒートポンプ式空調機１のヒーポン用水熱交換器２を流通する第１熱源水が循環する第１熱源水回路３と、建物で発生した下水を浄化する下水槽４と、を備えている。第１熱源水回路３は送水ポンプ１３を備え、ヒーポン用水熱交換器２が通水自在に接続される。第１熱源水は、送水ポンプ１３により流量調節自在として白抜きの矢印方向に送られて、水熱源ヒートポンプ式空調機１に入り、ヒーポン用水熱交換器２にて熱交換された後、第１熱源水回路３に戻り循環する。
【０００８】
第１熱源水回路３には、建物で発生する汚水にて第１熱源水を水温調節する第１熱源用熱交換器５と、建物で発生する下水にて第１熱源水を水温調節する第２熱源用熱交換器６と、を設け、第１熱源水が任意の順序で第１熱源用熱交換器５と第２熱源用熱交換器６に１つずつ流れるように構成する。７は第１制御手段で、ヒーポン用水熱交換器２の第１熱源水入口温度及び第１熱源水出口温度と汚水の温度と下水の温度とに応じて第１熱源用熱交換器５と第２熱源用熱交換器６への第１熱源水の一部又は全部をバイパスさせて第１熱源水の流量制御を行って水熱源ヒートポンプ式空調機１の運転可能水温範囲（例えば１０〜４５℃）に第１熱源水を調節する。なお、本発明において、建物排水とは建物で発生する下水及び汚水とし、下水とは、建物内の生活機器２９で使用された洗面、風呂、調理、湯沸などの生活排水と、雨水とを含み、汚水は、建物内のトイレ８で使用されたし尿処理排水とする。
【０００９】
これらの下水及び汚水が大量に発生するホテルや病院などの各種施設の建物では、例えば建物内で下水を下水槽４に集めて浄化し、トイレ８…の給水管に流して、略常温（例えば夏期では２０〜２５℃、冬期では１０℃〜１５℃）の汚水を汚水配管９から建物外へ排水している。この汚水配管９の一部に第１熱源用熱交換器５を介して汚水と第１熱源水を熱交換自在に設ける。第１熱源用熱交換器５は第１熱源水が流通する容器状とし、内部に汚水配管９の一部を内設させる。図例では、汚水配管９の一部を、並列に汚水が分流する複数本の管状部３１…とし、熱交換量増加を図っている。この管状部３１…及び第１熱源用熱交換器５は図例以外の構造構成とするも自由である。第１熱源用熱交換器５より下流の汚水配管９には流量調整弁１０を設け、熱交換効率を高めるために第１熱源用熱交換器５内の汚水配管９の流量が設定値以上となるように制御する。
【００１０】
下水槽４には第２熱源用熱交換器６を介して下水槽４内の下水と第１熱源水を熱交換自在に設ける。第２熱源用熱交換器６は管状で、下水槽４内に第２熱源用熱交換器６を熱交換自在に内設させているが、これ以外の構造構成としたり、下水槽４を浄化用以外の下水槽とするも自由である。下水槽４には、排水管１２と流量調整弁１１を設け、熱交換効率を高めるために下水槽４の水が常時入替わるように制御する。下水槽４は、常温下水と風呂や湯沸などの高温下水が混合されるため常温を超える温度（例えば２０℃〜２５℃）となる。
【００１１】
一部図示省略するが、水熱源ヒートポンプ式空調機１は、ケーシング内にヒートポンプ３０と給気用ファン２６とを備え、このヒートポンプ３０は、循環冷媒の蒸発工程と凝縮工程であって互いに異なる工程を行う給気用空気熱交換器２７及びヒーポン用水熱交換器２と、循環冷媒を圧縮する圧縮機２８と、循環冷媒を膨張させる膨張弁等の減圧機構と、給気用空気熱交換器２７及びヒーポン用水熱交換器２の蒸発工程と凝縮工程を切換えるバルブ等の冷媒流路切換機構と、を少なくとも備え、これらを冷媒が循環するように配管接続して成る。このヒートポンプ３０の空気熱交換器２７にて空調用空気を冷却又は加熱し、冷房運転と暖房運転を切換自在に行い、被空調空間に給気して空調する。
【００１２】
第１制御手段７は、第１熱源用熱交換器５への第１熱源水の一部又は全部をバイパスさせて第１熱源用熱交換器５の第１熱源水流量を制御する第１流量制御機構１４と、第２熱源用熱交換器６への第１熱源水の一部又は全部をバイパスさせて第２熱源用熱交換器６の第１熱源水流量を制御する第２流量制御機構１５と、第１熱源用熱交換器５と第２熱源用熱交換器６の第１熱源水流通順序を切換える通水方向切換機構３２と、ヒーポン用水熱交換器２の第１熱源水入口温度Ａ１（以下Ａ１と表記する）を検出する第１熱源水入口温度検出器１６と、ヒーポン用水熱交換器２の第１熱源水出口温度Ａ２（以下Ａ２と表記する）を検出する第１熱源水出口温度検出器１７と、汚水配管９の汚水温度Ｂ１（以下Ｂ１と表記する）を検出する汚水温度検出器１８と、下水槽４の下水温度Ｂ２（以下Ｂ２と表記する）を検出する下水温度検出器１９と、第１熱源水入口温度Ａ１と第１熱源水出口温度Ａ２と汚水温度Ｂ１と下水温度Ｂ２とを比較して水熱源ヒートポンプ式空調機１の運転可能水温範囲Ｗ（以下Ｗと表記する）に第１熱源水が調節されるように第１流量制御機構１４と第２流量制御機構１５と通水方向切換機構３２を制御する第１制御器２０と、を備えている。
【００１３】
図例では、第１流量制御機構１４は第１熱源用熱交換器５の第１熱源水出入口をバイパスするバイパス流路２１と三方弁などの制御弁２３などにて構成し、第２流量制御機構１５は第２熱源用熱交換器６の第１熱源水出入口をバイパスするバイパス流路２２と三方弁などの制御弁２４などにて構成し、通水方向切換機構３２は四方弁などの制御弁にて構成しているが、通水方向切換機構３２や流量制御機構１４、１５の構成の変更は自由である。また、温度検出器１６、１７、１８、１９の配置変更は自由である。
【００１４】
この第１制御手段７による運転制御例を説明する。例えば図２に示すように、複数の水熱源ヒートポンプ式空調機１…が冷房運転で、第１熱源水入口温度Ａ１が運転可能水温範囲Ｗであって、第１熱源水出口温度Ａ２より第１熱源水入口温度Ａ１が低く、第１熱源水入口温度Ａ１より汚水温度Ｂ１が低く、汚水温度Ｂ１より下水温度Ｂ２が低い場合（第１熱源水出口温度Ａ２＞第１熱源水入口温度Ａ１＞汚水温度Ｂ１＞下水温度Ｂ２）、通水方向切換機構３２にて第１熱源水流通順序を第１熱源用熱交換器５から第２熱源用熱交換器６の方向に切換え、ヒーポン用水熱交換器２から出た第１熱源水を、第１流量制御機構１４にて第１熱源用熱交換器５に流して一次冷却し、第１熱源用熱交換器５に通水後の第１熱源水を、第２流量制御機構１５にて第２熱源用熱交換器６に流して二次冷却して、運転可能水温範囲Ｗに調節して第１熱源水回路３を循環させる。このように、第１熱源水出口温度Ａ２と第１熱源水入口温度Ａ１と汚水温度Ｂ１と下水温度Ｂ２の温度差に応じて、汚水と下水の両方をエネルギー変換ロス無しに第１熱源水の冷却に最大限利用する最適な第１熱源水流通ルートに設定する。
【００１５】
同様にして、複数の水熱源ヒートポンプ式空調機１…が暖房運転で、第１熱源水入口温度Ａ１が運転可能水温範囲Ｗであって、第１熱源水出口温度Ａ２＜第１熱源水入口温度Ａ１＜汚水温度Ｂ１＜下水温度Ｂ２の場合、通水方向切換機構３２にて第１熱源水流通順序を第１熱源用熱交換器５から第２熱源用熱交換器６の方向に切換え、ヒーポン用水熱交換器２から出た第１熱源水を、第１流量制御機構１４にて第１熱源用熱交換器５に流して一次加熱し、第１熱源用熱交換器５に通水後の第１熱源水を、第２流量制御機構１５にて第２熱源用熱交換器６に流して二次加熱して、運転可能水温範囲Ｗに調節して第１熱源水回路３を循環させ、汚水と下水の両方をエネルギー変換ロス無しに第１熱源水の加熱に最大限利用する最適な第１熱源水流通ルートに設定する。
【００１６】
また、図３に示すように、複数の水熱源ヒートポンプ式空調機１…が冷房運転で、第１熱源水入口温度Ａ１が運転可能水温範囲Ｗであって、第１熱源水出口温度Ａ２＞第１熱源水入口温度Ａ１＞下水温度Ｂ２＞汚水温度Ｂ１の場合、通水方向切換機構３２にて第１熱源水流通順序を第２熱源用熱交換器６から第１熱源用熱交換器５の方向に切換え、ヒーポン用水熱交換器２から出た第１熱源水を、第２流量制御機構１５にて第２熱源用熱交換器６に流して一次冷却し、第２熱源用熱交換器６に通水後の第１熱源水を、第１流量制御機構１４にて第１熱源用熱交換器５に流して二次冷却して、運転可能水温範囲Ｗに調節して第１熱源水回路３を循環させ、汚水と下水の両方をエネルギー変換ロス無しに第１熱源水の冷却に最大限利用する最適な第１熱源水流通ルートに設定する。
【００１７】
同様にして、複数の水熱源ヒートポンプ式空調機１…が暖房運転で、第１熱源水入口温度Ａ１が運転可能水温範囲Ｗであって、第１熱源水出口温度Ａ２＜第１熱源水入口温度Ａ１＜下水温度Ｂ２＜汚水温度Ｂ１の場合、通水方向切換機構３２にて第１熱源水流通順序を第２熱源用熱交換器６から第１熱源用熱交換器５の方向に切換え、ヒーポン用水熱交換器２から出た第１熱源水を、第２流量制御機構１５にて第２熱源用熱交換器６に流して一次加熱し、第２熱源用熱交換器６に通水後の第１熱源水を、第１流量制御機構１４にて第１熱源用熱交換器５に流して二次加熱して、運転可能水温範囲Ｗに調節して第１熱源水回路３を循環させ、汚水と下水の両方をエネルギー変換ロス無しに第１熱源水の加熱に最大限利用する最適な第１熱源水流通ルートに設定する。
【００１８】
次に、図４に示すように、複数の水熱源ヒートポンプ式空調機１…が冷房運転で、第１熱源水入口温度Ａ１が運転可能水温範囲Ｗであって、（第１熱源水出口温度Ａ２及び下水温度Ｂ２）＞第１熱源水入口温度Ａ１＞汚水温度Ｂ１の場合、通水方向切換機構３２にて第１熱源水通水順序を任意の方向（図例では第１熱源用熱交換器５から第２熱源用熱交換器６の方向）に切換え、ヒーポン用水熱交換器２から出た第１熱源水を、第１流量制御機構１４にて第１熱源用熱交換器５に流して冷却、及び第２流量制御機構１５にて第２熱源用熱交換器６の第１熱源水出入口をバイパスさせ、運転可能水温範囲Ｗに調節して第１熱源水回路３を循環させる。このように、第１熱源水出口温度Ａ２と第１熱源水入口温度Ａ１と汚水温度Ｂ１と下水温度Ｂ２の温度差に応じて、汚水と下水のうちでエネルギー変換ロスが無いものを第１熱源水の冷却に最大限利用する最適な第１熱源水流通ルートに設定できる。
【００１９】
同様にして、複数の水熱源ヒートポンプ式空調機１…が暖房運転で、第１熱源水入口温度Ａ１が運転可能水温範囲Ｗであって、（第１熱源水出口温度Ａ２及び下水温度Ｂ２）＜第１熱源水入口温度Ａ１＜汚水温度Ｂ１の場合、通水方向切換機構３２にて第１熱源水通水順序を任意の方向に切換え、ヒーポン用水熱交換器２から出た第１熱源水を、第１流量制御機構１４にて第１熱源用熱交換器５に流して加熱、及び第２流量制御機構１５にて第２熱源用熱交換器６の第１熱源水出入口をバイパスさせ、運転可能水温範囲Ｗに調節して第１熱源水回路３を循環させ、汚水と下水のうちでエネルギー変換ロスが無いものを第１熱源水の加熱に最大限利用する最適な第１熱源水流通ルートに設定する。
【００２０】
次に、図５に示すように、複数の水熱源ヒートポンプ式空調機１…が冷房運転で、第１熱源水入口温度Ａ１が運転可能水温範囲Ｗであって、（第１熱源水出口温度Ａ２及び汚水温度Ｂ１）＞第１熱源水入口温度Ａ１＞下水温度Ｂ２の場合、通水方向切換機構３２にて第１熱源水通水順序を任意の方向（図例では第１熱源用熱交換器５から第２熱源用熱交換器６の方向）に切換え、ヒーポン用水熱交換器２から出た第１熱源水を、第１流量制御機構１４にて第１熱源用熱交換器５の第１熱源水出入口をバイパス、及び第２流量制御機構１５にて第２熱源用熱交換器６に流して冷却し、運転可能水温範囲Ｗに調節して第１熱源水回路３を循環させ、汚水と下水のうちでエネルギー変換ロスが無いものを第１熱源水の冷却に最大限利用する最適な第１熱源水流通ルートに設定する。
【００２１】
同様にして、複数の水熱源ヒートポンプ式空調機１…が暖房運転で、第１熱源水入口温度Ａ１が運転可能水温範囲Ｗであって、（第１熱源水出口温度Ａ２及び汚水温度Ｂ１）＜第１熱源水入口温度Ａ１＜下水温度Ｂ２の場合、通水方向切換機構３２にて第１熱源水通水順序を任意の方向に切換え、ヒーポン用水熱交換器２から出た第１熱源水を、第１流量制御機構１４にて第１熱源用熱交換器５をバイパス、及び第２流量制御機構１５にて第２熱源用熱交換器６に流して加熱し、運転可能水温範囲Ｗに調節して第１熱源水回路３を循環させ、汚水と下水のうちでエネルギー変換ロスが無いものを第１熱源水の加熱に最大限利用する最適な第１熱源水流通ルートに設定する。
【００２２】
次に、図６に示すように、複数の水熱源ヒートポンプ式空調機１…が冷房・暖房同時運転で、第１熱源水入口温度Ａ１が運転可能水温範囲Ｗであって、第１熱源水出口温度Ａ２と第１熱源水入口温度Ａ１が略同じで温度調節が不要な場合（第１熱源水出口温度Ａ２≒第１熱源水入口温度Ａ１）、通水方向切換機構３２にて第１熱源水通水順序を任意の方向（図例では第１熱源用熱交換器５から第２熱源用熱交換器６の方向）に切換え、ヒーポン用水熱交換器２から出た第１熱源水を、第１流量制御機構１４にて第１熱源用熱交換器５の第１熱源水出入口をバイパス、及び第２流量制御機構１５にて第２熱源用熱交換器６をバイパスさせ、第１熱源水回路３を循環させて、無駄に第１熱源水を冷却、加熱をしないように最適な第１熱源水流通ルートに設定する。図示省略するが、第１熱源水を冷却、加熱せずに第１熱源水流通ルートがさらに短くなるように、バイパス流路や制御弁などを第１熱源水回路３に適宜設けるも自由である。
【００２３】
また、図１に示すように、第２空調システムＮは冷房運転・暖房運転切換自在として図示省略の建物の被空調空間を空調する複数の水熱源ヒートポンプ式空調機３５…と、水熱源ヒートポンプ式空調機３５のヒーポン用水熱交換器３６を流通する第２熱源水が循環する第２熱源水回路３３と、水熱源ヒートポンプ式空調機３５の運転可能水温範囲（例えば１０〜４５℃）に第２熱源水を調節するクーリングタワー２５ａ及びボイラー２５ｂなどの熱源装置２５と、を備えている。第２熱源水回路３３は送水ポンプ３７を備え、ヒーポン用水熱交換器３６が通水自在に接続される。
【００２４】
クーリングタワー２５ａとボイラー２５ｂは第２熱源水回路３３に三方弁などの制御弁４６ａ、４６ｂを介して接続し、熱源水流通ルートがクーリングタワー２５ａ側かボイラー２５ｂ側に切換えられるように構成する。第２熱源水は、送水ポンプ３７により流量調節自在として白抜きの矢印方向に送られて、水熱源ヒートポンプ式空調機３５に入り、ヒーポン用水熱交換器３６にて熱交換された後、第２熱源水回路３３に戻り循環する。なお、本発明では、非建物排水の熱エネルギーとは、例えば図例のような熱源装置２５で温度調節された熱源水の熱エネルギーや、図示省略の圧縮式空気熱源ヒートポンプの熱源用空気の熱エネルギーなどを含むものとする。
【００２５】
一部図示省略するが、水熱源ヒートポンプ式空調機３５は、ケーシング内にヒートポンプ３８と給気用ファン３９とを備え、このヒートポンプ３８は、循環冷媒の蒸発工程と凝縮工程であって互いに異なる工程を行う給気用空気熱交換器４０及びヒーポン用水熱交換器３６と、循環冷媒を圧縮する圧縮機４１と、循環冷媒を膨張させる膨張弁等の減圧機構と、給気用空気熱交換器４０及びヒーポン用水熱交換器３６の蒸発工程と凝縮工程を切換えるバルブ等の冷媒流路切換機構と、を少なくとも備え、これらを冷媒が循環するように配管接続して成る。このヒートポンプ３８の空気熱交換器４０にて空調用空気を冷却又は加熱し、冷房運転と暖房運転を切換自在に行い、被空調空間に給気して空調する。
【００２６】
３４は、第２熱源水を第２熱源水回路３３と第１熱源水回路３の一方又は両方に切換自在に循環させる熱源切換機構である。この熱源切換機構３４は、第２熱源水回路３３から分岐して第１熱源水回路３に連通連結する連通路４２ａ、４２ｂと、熱源水流通ルートを第１熱源水回路３側か第２熱源水回路３３側に切換える三方弁などの制御弁４３、４４と、第２熱源水回路３３に対して第２熱源水を流通・停止させる二方弁などの制御弁４５と、これらの制御弁４３、４４、４５を制御して第２熱源水を第２熱源水回路３３と第１熱源水回路３の一方又は両方に切換える図示省略の第２制御器と、を備えている。なお、熱源切換機構３４の連通路や制御弁の配置、数、構造などの構成は変更自由である。
【００２７】
図２〜図６は、例えば建物排水の熱エネルギーだけで第１空調システムＳの空調を行える場合などに、熱源切換機構３４にて第２熱源水を第２熱源水回路３３にのみ循環させる運転例を示している。図例では、第１空調システムＳの第１熱源水が第１熱源水回路３を循環しかつ第２空調システムＮの第２熱源水が第１熱源水回路３に流れ込まないように制御弁４３、４４の通水方向の切換制御を行うと共に、第２熱源水が第２熱源水回路３３を循環するように制御弁４５の通水方向の切換制御を行う。
【００２８】
図７と図８は、第１空調システムＳの空調を、例えばエネルギー不足や故障などにより建物排水の熱エネルギーだけで行えない場合などに、熱源切換機構３４にて第２熱源水を第１熱源水回路３にのみ循環又は第１熱源水回路３と第２熱源水回路３３の両方に循環させる運転例を示している。図７の例では、第２熱源水が第１熱源用熱交換器５と第２熱源用熱交換器６をバイパスして第１熱源水回路３を循環するように制御弁４３、４４の通水方向の切換制御を行うと共に、第２熱源水が第２熱源水回路３３を循環しないように制御弁４５の通水方向の切換制御を行う。図８の例では、第２熱源水が第１熱源用熱交換器５と第２熱源用熱交換器６をバイパスして第１熱源水回路３を循環するように制御弁４３、４４の通水方向の切換制御を行うと共に、第２熱源水が第２熱源水回路３３を循環するように制御弁４５の通水方向の切換制御を行う。このようにして熱源装置２５を第１空調システムＳの予備熱源として利用することができる。
【００２９】
なお、第２空調システムＮは、冷温水コイル用に水温調節するチラーなどの熱源装置２５と、冷温水コイルを介して第２熱源水で給気用空気を熱交換する冷温水式空調機と、を備えた構成としたり、熱源装置を省略して空気熱源ヒートポンプ式空調機を備えた構成としたり、これらや図例のものを適宜組合わせた構成とするも自由である。前記実施例において水熱源ヒートポンプ式空調機１、３５の台数の増減は自由である。第１・第２熱源水回路３、３３はダイレクトレターン方式、リバースレターン方式やこれらの併用方式など各種の方式に変更自由である。また、第１熱源用熱交換器５と第２熱源用熱交換器６の一方を省略するも自由である。
【図面の簡単な説明】
【００３０】
【図１】本発明の複合型空調システムの実施例である。
【図２】本発明の第１の運転制御例である。
【図３】本発明の第２の運転制御例である。
【図４】本発明の第３の運転制御例である。
【図５】本発明の第４の運転制御例である。
【図６】本発明の第５の運転制御例である。
【図７】本発明の第６の運転制御例である。
【図８】本発明の第７の運転制御例である。
【符号の説明】
【００３１】
１    水熱源ヒートポンプ式空調機
２    ヒーポン用水熱交換器
３    第１熱源水回路
５    第１熱源用熱交換器
６    第２熱源用熱交換器
７    第１制御手段
２５  熱源装置
３３  第２熱源水回路
３４  熱源切換機構
Ｓ    第１空調システム
Ｎ    第２空調システム
【図１】
2009168256.tif 000003
【図２】
2009168256.tif 000004
【図３】
2009168256.tif 000005
【図４】
2009168256.tif 000006
【図５】
2009168256.tif 000007
【図６】
2009168256.tif 000008
【図７】
2009168256.tif 000009
【図８】
2009168256.tif 000010